(57)【要約】【課題】相手に必要な情報を必要なときに伝達でき、管理が容易な名刺にすること。【解決手段】以下の（１）〜（６）の機能を有する携帯電話機であることを特徴とする電子名刺装置。（１）自分の電子名刺を作成して登録する機能。（２）自分の電子名刺を相手の携帯電話機に送信する機能。（３）相手の携帯電話機から相手の電子名刺を受信して登録する機能。（４）登録してある自分の名刺を更新し、この更新の情報を、登録されている相手の電子名刺の、その相手の携帯電話機に送信する機能。（５）登録されている相手の電子名刺の更新の情報を受信し、この更新の情報に従って、その電子名刺を更新する機能。（６）登録されている相手の電子名刺上で、相手からの、電子メール、電話の着信などの通信履歴を閲覧し管理する機能。【選択図】なし【特許請求の範囲】
【請求項１】
以下の（１）〜（６）の機能を有する携帯電話機であることを特徴とする電子名刺装置。
（１）自分の電子名刺を作成して登録する機能。
（２）自分の電子名刺を相手の携帯電話機に送信する機能。
（３）相手の携帯電話機から相手の電子名刺を受信して登録する機能。
（４）登録してある自分の名刺を更新し、この更新の情報を、登録されている相手の電子名刺の、その相手の携帯電話機に送信する機能。
（５）登録されている相手の電子名刺の更新の情報を受信し、この更新の情報に従って、その電子名刺を更新する機能。
（６）登録されている相手の電子名刺上で、相手からの、電子メール、電話の着信などの通信履歴を閲覧し管理する機能。
【請求項２】
以下の（７）の機能も有する携帯電話機であることを特徴とする請求項１に記載の電子名刺装置。
（７）スケジュールを管理する機能。
【請求項３】
以下の（１）〜（６）の工程が携帯電話機で実行されることを特徴とする電子名刺方法。
（１）自分の電子名刺を作成して登録する工程。
（２）自分の電子名刺を相手の携帯電話機に送信する工程。
（３）相手の携帯電話機から相手の電子名刺を受信して登録する工程。
（４）登録してある自分の名刺を更新し、この更新の情報を、登録されている相手の電子名刺の、その相手の携帯電話機に送信する工程。
（５）登録されている相手の電子名刺の更新の情報を受信し、この更新の情報に従って、その電子名刺を更新する工程。
（６）登録されている相手の電子名刺上で、相手からの、電子メール、電話の着信などの通信履歴を閲覧し管理する工程。
【請求項４】
以下の（７）の工程も携帯電話機で実行されることを特徴とする請求項３に記載の電子名刺方法。
（７）スケジュールを管理する工程。
【請求項５】
以下の（１）〜（６）のステップを携帯電話機に実行させることを特徴とする電子名刺プログラム。
（１）自分の電子名刺を作成して登録するステップ。
（２）自分の電子名刺を相手の携帯電話機に送信するステップ。
（３）相手の携帯電話機から相手の電子名刺を受信して登録するステップ。
（４）登録してある自分の名刺を更新し、この更新の情報を、登録されている相手の電子名刺の、その相手の携帯電話機に送信するステップ。
（５）登録されている相手の電子名刺の更新の情報を受信し、この更新の情報に従って、その電子名刺を更新するステップ。
（６）登録されている相手の電子名刺上で、相手からの、電子メール、電話の着信などの通信履歴を閲覧し管理するステップ。
【請求項６】
以下の（７）のステップも携帯電話機に実行させることを特徴とする請求項５に記載の電子名刺プログラム。
（７）スケジュールを管理するステップ。
【請求項７】
請求項５又は６に記載の電子名刺プログラムを記録した記録媒体。
【請求項８】
請求項５又は６に記載の電子名刺プログラムを、携帯電話機へダウンロード可能であることを特徴とするサーバ。
【発明の詳細な説明】
【０００１】
【発明の属する技術分野】
本発明は、電子名刺装置、電子名刺方法、電子名刺プログラム、記録媒体、及びサーバに関する。
【０００２】
【従来の技術】
一般に、名刺は、小形の紙に、氏名・住所・職業・身分など情報を記載したものであって、通常、初対面の相手に渡す。
【０００３】
【発明が解決しようとする課題】
このように、従来の名刺は、小型の紙に情報を記載するので、以下に列挙する欠点がある。
【０００４】
まず、記載できる情報の量が少なく最低限の情報しか相手に伝えられない。また、渡された全ての名刺を外出時に持ち歩けず、緊急時に対応できない。部署、連絡先が変わったとき、相手に実際に会わなくては情報を伝えられず、また、口頭で伝えられる情報の記録を取るにも限度があり、管理するのに不便である。
【０００５】
本発明は、係る従来の名刺の欠点に鑑みてなされたもので、相手に必要な情報を必要なときに伝達でき、管理が容易な名刺にすることを課題とする。
【０００６】
【課題を解決するための手段】
本発明において上記の課題を達成するために、まず請求項１の発明では、以下の（１）〜（６）の機能を有する携帯電話機であることを特徴とする電子名刺装置としたものである。
（１）自分の電子名刺を作成して登録する機能。
（２）自分の電子名刺を相手の携帯電話機に送信する機能。
（３）相手の携帯電話機から相手の電子名刺を受信して登録する機能。
（４）登録してある自分の名刺を更新し、この更新の情報を、登録されている相手の電子名刺の、その相手の携帯電話機に送信する機能。
（５）登録されている相手の電子名刺の更新の情報を受信し、この更新の情報に従って、その電子名刺を更新する機能。
（６）登録されている相手の電子名刺上で、相手からの、電子メール、電話の着信などの通信履歴を閲覧し管理する機能。
【０００７】
また請求項２の発明では、以下の（７）の機能も有する携帯電話機であることを特徴とする請求項１に記載の電子名刺装置としたものである。
（７）スケジュールを管理する機能。
【０００８】
また請求項３の発明では、以下の（１）〜（６）の工程が携帯電話機で実行されることを特徴とする電子名刺方法としたものである。
（１）自分の電子名刺を作成して登録する工程。
（２）自分の電子名刺を相手の携帯電話機に送信する工程。
（３）相手の携帯電話機から相手の電子名刺を受信して登録する工程。
（４）登録してある自分の名刺を更新し、この更新の情報を、登録されている相手の電子名刺の、その相手の携帯電話機に送信する工程。
（５）登録されている相手の電子名刺の更新の情報を受信し、この更新の情報に従って、その電子名刺を更新する工程。
（６）登録されている相手の電子名刺上で、相手からの、電子メール、電話の着信などの通信履歴を閲覧し管理する工程。
【０００９】
また請求項４の発明では、以下の（７）の工程も携帯電話機で実行されることを特徴とする請求項３に記載の電子名刺方法としたものである。
（７）スケジュールを管理する工程。
【００１０】
また請求項５の発明では、以下の（１）〜（６）のステップを携帯電話機に実行させることを特徴とする電子名刺プログラムとしたものである。
（１）自分の電子名刺を作成して登録するステップ。
（２）自分の電子名刺を相手の携帯電話機に送信するステップ。
（３）相手の携帯電話機から相手の電子名刺を受信して登録するステップ。
（４）登録してある自分の名刺を更新し、この更新の情報を、登録されている相手の電子名刺の、その相手の携帯電話機に送信するステップ。
（５）登録されている相手の電子名刺の更新の情報を受信し、この更新の情報に従って、その電子名刺を更新するステップ。
（６）登録されている相手の電子名刺上で、相手からの、電子メール、電話の着信などの通信履歴を閲覧し管理するステップ。
【００１１】
また請求項６の発明では、以下の（７）のステップも携帯電話機に実行させることを特徴とする請求項５に記載の電子名刺プログラムとしたものである。
（７）スケジュールを管理するステップ。
【００１２】
また請求項７の発明では、請求項５又は６に記載の電子名刺プログラムを記録した記録媒体としたものである。
【００１３】
請求項８の発明では、請求項５又は６に記載の電子名刺プログラムを、携帯電話機へダウンロード可能であることを特徴とするサーバとしたものである。
【００１４】
【発明の実施の形態】
以下に、本発明の実施の形態を説明する。
【００１５】
１．構成
本発明の電子名刺装置は、マイクロコンピュータを内蔵する携帯電話機であって、そのマイクロコンピュータが、電子名刺プログラムを実行するものである。電子名刺プログラムが実行されることにより、携帯電話機で、以下のことが可能になる。
【００１６】
第１に、自分の名刺をデジタルデータで作成して、登録しておくことが可能になる。このデジタルデータの名刺を、電子名刺と呼ぶ。
【００１７】
第２に、自分の電子名刺を相手の携帯電話機に送信し、また、相手の電子名刺を相手の携帯電話機から受信して、登録することが可能になる。
【００１８】
第３に、登録してある自分の電子名刺を適宜更新し、この更新が行なわれると、この自分の電子名刺の更新の情報を、登録されている相手の電子名刺の、その相手の携帯電話機に、送信することが可能になる。また、登録されている相手の電子名刺の更新の情報を受信し、この更新の情報に従って、その電子名刺を更新することが可能になる。
【００１９】
第４に、登録されている相手の電子名刺上で、電子メール、相手からの、電話の着信などの通信履歴を閲覧し管理することが可能になる。また、スケジュール管理が可能になる。このスケジュール管理では、例えば、登録されている相手の電子名刺を選んで、スケジュール表に配置することができる。また、登録されている相手の電子名刺上に、その人の情報をノートして整理できるようにしても良い。
【００２０】
電子名刺プログラムの携帯電話機へのインストールは、サーバから携帯電話機にダウンロードすることで行なっても良いし、或は、電子名刺プログラムを記録した記録媒体から携帯電話機に読み込むことで行なっても良い。
【００２１】
電子名刺やそれの更新情報等の送受信、電子名刺プログラムのサーバから携帯電話機へのダウンロード等は、携帯電話網、インターネットなどの電気通信網を介して行われるが、自分と相手が対面しているときなどのように、携帯電話機同士が近距離に位置しているときは、直接、繋いだり、赤外線通信等で行なっても良い。
【００２２】
２．処理
まず、Ａ氏とＢ氏とが電子名刺を交換するときになされる処理例を、図１のフローチャートに従って、説明する。
尚、この処理例では、当然、Ａ氏及びＢ氏の各々の携帯電話機には、本発明の電子名刺プログラムがインストールしてあり、Ａ氏及びＢ氏は、各々の携帯電話に、各々の電子名刺を作成して登録していることを前提としている。
【００２３】
Ｓ（ＳＴＥＰ）１；
Ａ氏は、Ａ氏の携帯電話機を用いて、Ａ氏の電子名刺を、Ｂ氏の携帯電話機に送信する。
【００２４】
Ｓ（ＳＴＥＰ）２；
Ｂ氏の携帯電話機は、Ａ氏の電子名刺を受信する。
【００２５】
Ｓ（ＳＴＥＰ）３；
Ｂ氏の携帯電話機は、Ａ氏の電子名刺を登録する。
【００２６】
Ｓ（ＳＴＥＰ）４；
Ｂ氏は、Ｂ氏の携帯電話機を用いて、Ｂ氏の電子名刺を、Ａ氏の携帯電話機に送信する。
【００２７】
Ｓ（ＳＴＥＰ）５；
Ａ氏の携帯電話機は、Ｂ氏の電子名刺を受信する。
【００２８】
Ｓ（ＳＴＥＰ）６；
Ａ氏の携帯電話機は、Ｂ氏の電子名刺を登録する。
【００２９】
次に、Ａ氏とＢ氏との電子名刺の交換後に、Ａ氏が、Ａ氏の携帯電話機で、Ａ氏の電子名刺を更新したことに伴って、Ｂ氏の携帯電話機に登録されているＡ氏の電子名刺が更新される処理例を、図２のフローチャートに従って説明する。
【００３０】
Ｓ（ＳＴＥＰ）１；
Ａ氏は、Ａ氏の携帯電話機に登録してあるＡ氏の電子名刺を、更新する。
【００３１】
Ｓ（ＳＴＥＰ）２；
Ａ氏の携帯電話機は、Ａ氏の電子名刺の更新情報を、Ｂ氏の携帯電話機に送信する。
【００３２】
Ｓ（ＳＴＥＰ）３；
Ｂ氏の携帯電話機は、Ａ氏の電子名刺の更新情報を受信する。
【００３３】
Ｓ（ＳＴＥＰ）４；
Ｂ氏の携帯電話機は、Ａ氏の電子名刺の更新情報に従って、登録してあるＡ氏の電子名刺を更新する。
【００３４】
３．応用例
以下に、本発明の電子名刺装置の応用例について、列挙する。
【００３５】
学生証やポイントカードの代替として、電子名刺をＩＤ認証に使用し、電子名刺上にポイントや情報が送られ、閲覧できるようにする。
【００３６】
アミューズメントパークで、その日、そこに入園した人しか貰えないオリジナルの電子名刺を作成し、入園者に、施設の予約や混雑情報、新情報を送る。また、退園後も、アミューズメントパークから情報を送る。
【００３７】
【発明の効果】
請求項１、３、及び５の発明は、電子名刺の伝達、更新が非常に便利であり、また電子名刺に記載できる情報の量も大きくすることができ、電子名刺を構成する要素として静止画や動画像を送ることもできるという効果がある。
また請求項１、３、及び５の発明は、電子名刺やそれの更新情報等を、携帯電話網やインターネットなどの電気通信網を介して送ることができるので、電子名刺やそれの更新情報等の伝達について、地理的、時間的制約がなくなり、コミュニケーションの高速化と確実性に優れているという効果がある。
また請求項１、３、及び５の発明は、相手から受け取った電子名刺を管理し、これら電子名刺を全て持ち運ぶことが容易であるという効果がある。
また請求項１、３、及び５の発明は、相手からの、電子メール、電話の着信などの通信履歴を、相手から受け取った電子名刺上で、閲覧並びに管理できるという効果がある。
【００３８】
請求項２、４、及び６の発明は、請求項１、３、及び５の発明の効果に加えて、スケジュール管理もできるという効果がある。この効果により、スケジュール管理に電子名刺をリンクさせ、スケジュールを入力する時に電子名刺をリンクさせ、スケジュールを読み出す時に関連した電子名刺を直接呼び出すことができ、面談などの時に事前に相手の情報を再確認しておくことができる。
【００３９】
請求項７の発明は、携帯電話機に、記録媒体に記録されている電子名刺プログラムを読み取らせて、その携帯電話機を電子名刺装置にすることができるという効果がある。
【００４０】
請求項８の発明は、携帯電話機に、サーバから電子名刺プログラムをダウンロードして、その携帯電話機を電子名刺装置にすることができるという効果がある。
【００４１】
本発明は、相手に必要な情報を必要なときに伝達でき、管理が容易な名刺を提供できるという効果がある。
【図面の簡単な説明】
【図１】Ａ氏とＢ氏とが電子名刺を交換するときになされる処理例を説明するフローチャート。
【図２】Ａ氏とＢ氏との電子名刺の交換後に、Ａ氏が、Ａ氏の携帯電話機で、Ａ氏の電子名刺を更新したことに伴って、Ｂ氏の携帯電話機に登録されているＡ氏の電子名刺が更新される処理例を説明するフローチャート。
【図１】
2004186936.tif 000002
【図２】
2004186936.tif 000003